【手続補正書】
【提出日】平成26年11月21日(2014.11.21)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
表示結果が導出される前に、入賞について発生を許容するか否かを決定する事前決定手段と、
遊技者が表示結果を導出させるために操作する導出操作手段と、
表示結果を導出する制御を行う導出制御手段と、
前記事前決定手段により発生を許容するか否かが決定される入賞の種類の一部が異なる第１遊技状態及び第２遊技状態を含む複数種類の遊技状態に制御する遊技状態制御手段と、
を備え、
前記事前決定手段の決定結果は、
第１入賞の発生を許容する旨及び第２入賞の発生を許容する旨を同時に決定する第１特定結果と、
前記第１入賞の発生を許容する旨及び第３入賞の発生を許容する旨を同時に決定する第２特定結果と、
を含み、
前記導出制御手段は、
前記事前決定手段の決定結果が前記第１特定結果となり、かつ該第１特定結果に対応する操作順序で操作されたときには、操作タイミングに関わらず、前記第１入賞を発生させる第１表示結果の組合せを導出し、
前記事前決定手段の決定結果が前記第１特定結果となり、かつ該第１特定結果に対応しない操作順序で操作されたときに、該第１特定結果に対応するタイミングで操作されたときには、前記第２入賞を発生させる第２表示結果の組合せを導出し、
前記事前決定手段の決定結果が前記第１特定結果となり、かつ該第１特定結果に対応しない操作順序で操作されたときに、該第１特定結果に対応しないタイミングで操作されたときには、いずれの入賞も発生させない表示結果の組合せを導出し、
前記事前決定手段の決定結果が前記第２特定結果となり、かつ該第２特定結果に対応する操作順序で操作されたときには、操作タイミングに関わらず、前記第１入賞を発生させる第１表示結果の組合せを導出し、
前記事前決定手段の決定結果が前記第２特定結果となり、かつ該第２特定結果に対応しない操作順序で操作されたときに、該第２特定結果に対応するタイミングで操作されたときには、前記第３入賞を発生させる第３表示結果の組合せを導出し、
前記事前決定手段の決定結果が前記第２特定結果となり、かつ該第２特定結果に対応しない操作順序で操作されたときに、該第２特定結果に対応しないタイミングで操作されたときには、いずれの入賞も発生させない表示結果の組合せを導出し、
前記第１特定結果に対応するタイミングと前記第２特定結果に対応するタイミングとが異なり、
前記事前決定手段は、
前記第１遊技状態及び前記第２遊技状態において前記第１特定結果を同一の確率で決定し、
前記第１遊技状態及び前記第２遊技状態において前記第２特定結果を同一の確率で決定する
ことを特徴とするスロットマシン。
【手続補正２】
【補正対象書類名】明細書
【補正対象項目名】０００６
【補正方法】削除
【補正の内容】
【手続補正３】
【補正対象書類名】明細書
【補正対象項目名】０００７
【補正方法】変更
【補正の内容】
【０００７】
本発明は、導出操作の順番によって異なる表示結果を導出させるスロットマシンを提供することを目的とする。
【手続補正４】
【補正対象書類名】明細書
【補正対象項目名】０００８
【補正方法】変更
【補正の内容】
【０００８】
上記課題を解決するために、本発明の請求項１に記載のスロットマシンは、
各々が識別可能な複数種類の識別情報を変動表示可能な可変表示部を複数備え、
前記可変表示部を変動表示した後、前記可変表示部の変動表示を停止することで表示結果を導出し、複数の可変表示部の表示結果の組合せに応じて入賞が発生可能なスロットマシンにおいて、
表示結果が導出される前に、入賞について発生を許容するか否かを決定する事前決定手段と、
遊技者が表示結果を導出させるために操作する導出操作手段と、
表示結果を導出する制御を行う導出制御手段と、
前記事前決定手段により発生を許容するか否かが決定される入賞の種類の一部が異なる第１遊技状態及び第２遊技状態を含む複数種類の遊技状態に制御する遊技状態制御手段と、
を備え、
前記事前決定手段の決定結果は、
第１入賞の発生を許容する旨及び第２入賞の発生を許容する旨を同時に決定する第１特定結果と、
前記第１入賞の発生を許容する旨及び第３入賞の発生を許容する旨を同時に決定する第２特定結果と、
を含み、
前記導出制御手段は、
前記事前決定手段の決定結果が前記第１特定結果となり、かつ該第１特定結果に対応する操作順序で操作されたときには、操作タイミングに関わらず、前記第１入賞を発生させる第１表示結果の組合せを導出し、
前記事前決定手段の決定結果が前記第１特定結果となり、かつ該第１特定結果に対応しない操作順序で操作されたときに、該第１特定結果に対応するタイミングで操作されたときには、前記第２入賞を発生させる第２表示結果の組合せを導出し、
前記事前決定手段の決定結果が前記第１特定結果となり、かつ該第１特定結果に対応しない操作順序で操作されたときに、該第１特定結果に対応しないタイミングで操作されたときには、いずれの入賞も発生させない表示結果の組合せを導出し、
前記事前決定手段の決定結果が前記第２特定結果となり、かつ該第２特定結果に対応する操作順序で操作されたときには、操作タイミングに関わらず、前記第１入賞を発生させる第１表示結果の組合せを導出し、
前記事前決定手段の決定結果が前記第２特定結果となり、かつ該第２特定結果に対応しない操作順序で操作されたときに、該第２特定結果に対応するタイミングで操作されたときには、前記第３入賞を発生させる第３表示結果の組合せを導出し、
前記事前決定手段の決定結果が前記第２特定結果となり、かつ該第２特定結果に対応しない操作順序で操作されたときに、該第２特定結果に対応しないタイミングで操作されたときには、いずれの入賞も発生させない表示結果の組合せを導出し、
前記第１特定結果に対応するタイミングと前記第２特定結果に対応するタイミングとが異なり、
前記事前決定手段は、
前記第１遊技状態及び前記第２遊技状態において前記第１特定結果を同一の確率で決定し、
前記第１遊技状態及び前記第２遊技状態において前記第２特定結果を同一の確率で決定する
ことを特徴としている。
本発明の手段１のスロットマシンは、
各々が識別可能な複数種類の識別情報を変動表示可能な可変表示部（リール２Ｌ、２Ｃ、２Ｒ）を複数備え、
前記可変表示部（リール２Ｌ、２Ｃ、２Ｒ）を変動表示した後、前記可変表示部（リール２Ｌ、２Ｃ、２Ｒ）の変動表示を停止することで表示結果を導出し、複数の可変表示部の表示結果の組合せに応じて入賞が発生可能なスロットマシン（スロットマシン１）において、
表示結果が導出される前に、入賞について発生を許容するか否かを決定する事前決定手段（内部抽選）と、
遊技者が表示結果を導出させるために操作する導出操作手段（ストップスイッチ８Ｌ、８Ｃ、８Ｒ）と、
前記事前決定手段（内部抽選）の決定結果に応じて前記表示結果を導出する制御を行う導出制御手段と、
を備え、
前記表示結果の組合せは、価値の付与を伴う第１の組合せ、第２の組合せ及び第３の組合せを含み、
前記導出制御手段は、
前記事前決定手段の決定結果が特定決定結果（リプレイＧＲ（１）（２）、小役ＧＲ（１）〜（１２））のうち前記第１の組合せ及び前記第２の組合せの導出が許容される第１の特定決定結果となったときに、前記複数の可変表示部のうち最初に特定の可変表示部に表示結果を導出させる手順で導出操作手段が操作されたときには、前記導出操作手段が操作されたタイミングに関わらず、前記第１の組合せを導出可能とする一方、前記複数の可変表示部のうち最初に前記特定の可変表示部以外の可変表示部に表示結果を導出させる手順で導出操作手段が操作されたときには、前記導出操作手段が操作されたタイミングが前記第２の組合せを構成する表示結果を導出可能なタイミングであれば前記第２の組合せを導出し、前記第２の組合せを構成する表示結果を導出可能なタイミング以外のタイミングであれば前記第１の組合せも前記第２の組合せも導出せず、
前記事前決定手段の決定結果が前記特定決定結果のうち前記第１の組合せ及び前記第３の組合せの導出が許容される第２の特定決定結果となったときに、前記複数の可変表示部のうち最初に前記特定の可変表示部に表示結果を導出させる手順で導出操作手段が操作されたときには、前記導出操作手段が操作されたタイミングに関わらず、前記第１の組合せを導出可能とする一方、前記複数の可変表示部のうち最初に前記特定の可変表示部以外の可変表示部に表示結果を導出させる手順で導出操作手段が操作されたときには、前記導出操作手段が操作されたタイミングが前記第３の組合せを構成する表示結果を導出可能なタイミングであれば前記第３の組合せを導出し、前記第３の組合せを構成する表示結果を導出可能なタイミング以外のタイミングであれば前記第１の組合せも前記第３の組合せも導出せず、
前記第２の組合せを構成する表示結果を導出可能なタイミングと、前記第３の組合せを構成する表示結果を導出可能なタイミングと、が異なり、
前記スロットマシンは、
前記事前決定手段の決定結果が前記第１の特定決定結果となったときに、前記第１の組合せまたは前記第２の組合せのうち前記第１の組合せを導出させる操作態様を特定可能に報知し、前記事前決定手段の決定結果が前記第２の特定決定結果となったときにも、前記第１の組合せまたは前記第３の組合せのうち前記第１の組合せを導出させる操作態様を特定可能に報知する操作態様報知手段（停止順ナビ）と、
前記操作態様報知手段（停止順ナビ）を作動させる第１の権利（ナビ権利１）を付与する第１の権利付与手段と、
前記操作態様報知手段（停止順ナビ）を作動させる第２の権利（ナビ権利２）を付与する第２の権利付与手段と、
前記第１の権利（ナビ権利１）または前記第２の権利（ナビ権利２）が付与されている場合に、前記操作態様報知手段（停止順ナビ）を作動させる制御を行う報知作動制御手段（サブＣＰＵ９１ａ）と、
を備え、
前記報知作動制御手段は、前記第１の権利（ナビ権利１）が付与されている場合には、第１の終了条件（２５ゲーム消化）が成立するまでの期間において前記事前決定手段の決定結果が前記特定決定結果（リプレイＧＲ（１）（２）、小役ＧＲ（１）〜（１２））となった場合に前記操作態様報知手段（停止順ナビ）を作動させる一方、前記第２の権利（ナビ権利２）が付与されている場合には、前記第１の終了条件（２５ゲーム消化）とは異なる第２の終了条件（ＢＢ（３）当選）が成立するまでの期間において前記事前決定手段の決定結果が前記特定決定結果（リプレイＧＲ（１）（２）、小役ＧＲ（１）〜（１２））となった場合に前記操作態様報知手段（停止順ナビ）を作動させ、
前記第１の権利（ナビ権利１）が付与された場合と、前記第２の権利（ナビ権利２）が付与された場合と、で遊技者にとっての有利度が異なり、
前記報知作動制御手段は、前記第１の権利（ナビ権利１）と前記第２の権利（ナビ権利２）の双方が付与されている場合に、前記第１の権利（ナビ権利１）及び前記第２の権利（ナビ権利２）のうち有利度の高い権利（ナビ権利２）に基づいて前記操作態様報知手段（停止順ナビ）を作動させ、該権利（ナビ権利２）の終了条件が成立した後、残りの権利（ナビ権利１）に基づいて前記操作態様報知手段（停止順ナビ）を作動させる
ことを特徴としている。
この特徴によれば、操作態様報知手段が作動することにより、事前決定手段の決定結果が特定決定結果となった場合に、その種類を特定することが可能となり、その種類に応じて遊技者にとって有利となる表示結果を導出させるための操作態様にて導出操作手段の操作を行うことが可能となる。そして、第１の権利が付与された場合には、第１の終了条件が成立するまでの期間において特定決定結果となった場合に操作態様報知手段が作動する一方、第２の権利が付与された場合には、第１の終了条件とは異なる第２の終了条件が成立するまでの期間において特定決定結果となった場合に操作態様報知手段が作動することとなる。すなわち、付与された権利の種類に応じて操作態様報知手段が作動する状態の終了条件が異なることとなるため、ゲームが単調となってしまうことを防止できる。
また、付与された権利の種類に応じて操作態様報知手段が作動する状態の終了条件や報知対象となる特定決定結果の種類だけではなく、実質的な遊技者にとっての有利度も異なるため、さらにゲーム性に変化を持たせることができる。
また、まず、遊技者にとって有利度の高い権利から消化されることとなるため、例えば、遊技の時間が限られている場合であっても遊技者が被る損失を最小限に留めることができる。
【手続補正５】
【補正対象書類名】明細書
【補正対象項目名】０００９
【補正方法】変更
【補正の内容】
【０００９】
本発明の手段２のスロットマシンは、手段１に記載のスロットマシンであって、
前記報知作動制御手段は、前記第１の権利（ナビ権利１）が付与されている場合には、第１の終了条件（２５ゲーム消化）が成立するまでの期間において前記事前決定手段の決定結果が前記特定決定結果のうち第１の種類に属する特定決定結果（リプレイＧＲ（１）（２））となった場合に前記決定結果報知手段（停止順ナビ）を作動させる一方、前記第２の権利（ナビ権利２）が付与されている場合には、前記第２の終了条件（ＢＢ（３）当選）が成立するまでの期間において前記事前決定手段の決定結果が前記特定決定結果のうち第２の種類に属する特定決定結果（リプレイＧＲ（１）（２）、小役ＧＲ（１）〜（１２））となった場合に前記決定結果報知手段（停止順ナビ）を作動させる
ことを特徴としている。
この特徴によれば、付与された権利の種類に応じて特定決定結果報知手段が作動する状態の終了条件が異なるだけでなく、報知対象となる特定決定結果の種類も異なるため、さらにゲームの流れに変化を持たせることができる。
【手続補正６】
【補正対象書類名】明細書
【補正対象項目名】００１０
【補正方法】変更
【補正の内容】
【００１０】
本発明の手段３のスロットマシンは、
各々が識別可能な複数種類の識別情報を変動表示可能な可変表示部（リール２Ｌ、２Ｃ、２Ｒ）を複数備え、
前記可変表示部（リール２Ｌ、２Ｃ、２Ｒ）を変動表示した後、前記可変表示部（リール２Ｌ、２Ｃ、２Ｒ）の変動表示を停止することで表示結果を導出し、複数の可変表示部の表示結果の組合せに応じて入賞が発生可能なスロットマシン（スロットマシン１）において、
表示結果が導出される前に、入賞について発生を許容するか否かを決定する事前決定手段（内部抽選）と、
遊技者が表示結果を導出させるために操作する導出操作手段（ストップスイッチ８Ｌ、８Ｃ、８Ｒ）と、
前記事前決定手段（内部抽選）の決定結果に応じて前記表示結果を導出する制御を行う導出制御手段と、
を備え、
前記表示結果の組合せは、価値の付与を伴う第１の組合せ、第２の組合せ及び第３の組合せを含み、
前記導出制御手段は、
前記事前決定手段の決定結果が特定決定結果のうち前記第１の組合せ及び前記第２の組合せの導出が許容される第１の特定決定結果となったときに、前記複数の可変表示部のうち最初に特定の可変表示部に表示結果を導出させる手順で導出操作手段が操作されたときには、前記導出操作手段が操作されたタイミングに関わらず、前記第１の組合せを導出可能とする一方、前記複数の可変表示部のうち最初に前記特定の可変表示部以外の可変表示部に表示結果を導出させる手順で導出操作手段が操作されたときには、前記導出操作手段が操作されたタイミングが前記第２の組合せを構成する表示結果を導出可能なタイミングであれば前記第２の組合せを導出し、前記第２の組合せを構成する表示結果を導出可能なタイミング以外のタイミングであれば前記第１の組合せも前記第２の組合せも導出せず、
前記事前決定手段の決定結果が前記特定決定結果のうち前記第１の組合せ及び前記第３の組合せの導出が許容される第２の特定決定結果となったときに、前記複数の可変表示部のうち最初に前記特定の可変表示部に表示結果を導出させる手順で導出操作手段が操作されたときには、前記導出操作手段が操作されたタイミングに関わらず、前記第１の組合せを導出可能とする一方、前記複数の可変表示部のうち最初に前記特定の可変表示部以外の可変表示部に表示結果を導出させる手順で導出操作手段が操作されたときには、前記導出操作手段が操作されたタイミングが前記第３の組合せを構成する表示結果を導出可能なタイミングであれば前記第３の組合せを導出し、前記第３の組合せを構成する表示結果を導出可能なタイミング以外のタイミングであれば前記第１の組合せも前記第３の組合せも導出せず、
前記第２の組合せを構成する表示結果を導出可能なタイミングと、前記第３の組合せを構成する表示結果を導出可能なタイミングと、が異なり、
前記スロットマシンは、
前記事前決定手段の決定結果が前記第１の特定決定結果となったときに、前記第１の組合せまたは前記第２の組合せのうち前記第１の組合せを導出させる操作態様を特定可能に報知し、前記事前決定手段の決定結果が前記第２の特定決定結果となったときにも、前記第１の組合せまたは前記第３の組合せのうち前記第１の組合せを導出させる操作態様を特定可能に報知する操作態様報知手段（停止順ナビ）と、
前記操作態様報知手段（停止順ナビ）を作動させる第１の権利（ナビ権利１）を付与する第１の権利付与手段と、
前記操作態様報知手段（停止順ナビ）を作動させる第２の権利（ナビ権利２）を付与する第２の権利付与手段と、
前記第１の権利（ナビ権利１）または前記第２の権利（ナビ権利２）が付与されている場合に、前記操作態様報知手段（停止順ナビ）を作動させる制御を行う報知作動制御手段（サブＣＰＵ９１ａ）と、
を備え、
前記報知作動制御手段は、前記第１の権利（ナビ権利１）が付与されている場合には、所定の終了条件（２５ゲーム消化）が成立するまでの期間において前記事前決定手段の決定結果が前記特定決定結果のうち第１の種類に属する特定決定結果（リプレイＧＲ（１）（２））となった場合に前記操作態様報知手段（停止順ナビ）を作動させる一方、前記第２の権利（ナビ権利２）が付与されている場合には、前記所定の終了条件（２５ゲーム消化）が成立するまでの期間において前記事前決定手段の決定結果が前記特定決定結果のうち第２の種類に属する特定決定結果（リプレイＧＲ（１）（２）、小役ＧＲ（１）〜（１２））となった場合に前記操作態様報知手段（停止順ナビ）を作動させ、
前記第１の権利（ナビ権利１）が付与された場合と、前記第２の権利（ナビ権利２）が付与された場合と、で遊技者にとっての有利度が異なり、
前記報知作動制御手段は、前記第１の権利（ナビ権利１）と前記第２の権利（ナビ権利２）の双方が付与されている場合に、前記第１の権利（ナビ権利１）及び前記第２の権利（ナビ権利２）のうち有利度の高い権利（ナビ権利２）に基づいて前記操作態様報知手段（停止順ナビ）を作動させ、該権利（ナビ権利２）の終了条件が成立した後、残りの権利（ナビ権利１）に基づいて前記操作態様報知手段（停止順ナビ）を作動させる
ことを特徴としている。
この特徴によれば、操作態様報知手段が作動することにより、事前決定手段の決定結果が特定決定結果となった場合に、その種類を特定することが可能となり、その種類に応じて遊技者にとって有利となる表示結果を導出させるための操作態様にて導出操作手段の操作を行うことが可能となる。そして、第１の権利が付与された場合にも、第２の権利が付与された場合にも所定の終了条件が成立するまでの期間において特定決定結果となった場合に操作態様報知手段が作動することとなるが、第１の権利が付与された場合には、第１の種類に属する特定決定結果となった場合に操作態様報知手段が作動する一方、第２の権利が付与された場合には、第２の種類に属する特定決定結果となった場合に操作態様報知手段が作動することとなる。すなわち、付与された権利の種類に応じて、報知対象となる特定決定結果の種類が異なるため、ゲームが単調となってしまうことを防止できる。
この特徴によれば、付与された権利の種類に応じて操作態様報知手段が作動する状態の終了条件や報知対象となる特定決定結果の種類だけではなく、実質的な遊技者にとっての有利度も異なるため、さらにゲーム性に変化を持たせることができる。
この特徴によれば、まず、遊技者にとって有利度の高い権利から消化されることとなるため、例えば、遊技の時間が限られている場合であっても遊技者が被る損失を最小限に留めることができる。
【手続補正７】
【補正対象書類名】明細書
【補正対象項目名】００１１
【補正方法】変更
【補正の内容】
【００１１】
尚、手段１、手段２、または手段３において所定数の賭数とは、遊技用価値１単位毎に賭数が１設定される構成であれば、少なくとも２以上の賭数であって、３以上の賭数が設定されることや最大賭数が設定されることでゲームが開始可能となるようにしても良い。また、遊技用価値の複数単位毎に賭数が１設定される構成であれば、少なくとも１以上の賭数であって、２以上の賭数が設定されることや最大賭数が設定されることでゲームが開始可能となるようにしても良い。また、複数の遊技状態に応じて定められた賭数が設定されることでゲームが開始可能となるようにしても良い。
また、手段１、手段２、または手段３において導出操作手段の操作態様とは、複数定められた導出操作手段の操作タイミングや、複数の導出操作手段の操作順などが該当する。
また、手段１、手段２、または手段３において特定決定結果の種類に応じた表示結果とは、事前決定手段の決定結果が特定決定結果となった場合にのみ導出される表示結果に限るものではなく、事前決定手段の決定結果が特定決定結果以外となった場合にも導出され得る表示結果を含むものでも良い。
また、手段１、手段２、または手段３における終了条件とは、例えば、消化したゲーム数、特定決定結果報知手段が作動した回数、事前決定手段の決定結果が予め定められた決定結果となること、可変表示装置の表示結果が特定の表示結果となることなどが該当する。
また、手段２、手段３における第１の種類に属する特定決定結果と第２の種類に属する特定決定結果とは、それぞれ異なる特定決定結果となる構成、すなわち複数のうちの第１の特定決定結果が一方の種類に属し、複数のうちの第２の特定決定結果が他方の種類に属する構成であっても良いし、一部の特定決定結果が重複する構成、すなわち複数のうちの第１の特定決定結果のみが一方の種類に属し、複数のうちの第１の特定決定結果及び第２の特定決定結果の双方が他方の種類に属する構成、または複数のうちの第２の特定決定結果のみが一方の種類に属し、第複数のうちの１の特定決定結果及び第２の特定決定結果の双方が他方の種類に属する構成であっても良い。
【手続補正８】
【補正対象書類名】明細書
【補正対象項目名】００１２
【補正方法】変更
【補正の内容】
【００１２】
本発明の手段４のスロットマシンは、手段１〜３のいずれかに記載のスロットマシンであって、
前記第１の権利付与手段または前記第２の権利付与手段は、前記第１の権利（ナビ権利１）または前記第２の権利（ナビ権利２）を複数個付与することが可能であり、
前記スロットマシンは、前記第１の権利付与手段または前記第２の権利付与手段により付与されている権利の個数を報知する権利数報知手段（当選個数の報知）を備え、
前記権利数報知手段は、前記第１の権利付与手段または前記第２の権利付与手段により付与されている実際の権利の個数（実際の当選個数）よりも少ない個数を報知可能である
ことを特徴としている。
この特徴によれば、権利数報知手段によって報知されている第１の権利または第２の権利の残り個数が減ってきても、それ以上に権利の個数が残っている可能性があるため、権利が残っていることへの期待感を持続させることができる。
【手続補正９】
【補正対象書類名】明細書
【補正対象項目名】００１３
【補正方法】変更
【補正の内容】
【００１３】
本発明の手段５のスロットマシンは、手段１〜手段４のいずれかに記載のスロットマシンであって、
前記第１の権利付与手段により第１の権利（ナビ権利１）を付与するか否かを決定する第１の権利付与決定手段（ナビ権利抽選１）と、
前記第２の権利付与手段により第２の権利（ナビ権利２）を付与するか否かを決定する第２の権利付与決定手段（ナビ権利抽選２）と、
を備え、
前記第１の権利付与決定手段（ナビ権利抽選１）及び第２の権利付与決定手段（ナビ権利抽選２）は、共通の契機（ＢＢ（４）当選）で権利を付与するか否かを決定する
ことを特徴としている。
この特徴によれば、第１の権利も第２の権利も共通の契機で付与される可能性があるため、これら共通の契機が到来することにより、特定決定結果報知手段を作動させる権利を獲得することだけでなく、その種類に対しても注目させることができる。